(57)【特許請求の範囲】
【請求項１】
容器本体を有する飲料容器に装着される飲料容器用スリーブであって、
前記容器本体の側面を包囲するように覆う側面被覆部と、
前記側面被覆部と一体に設けられ、前記容器本体の底面を覆う底面被覆部と、
前記側面被覆部と別体に設けられ、前記側面被覆部を垂直面に貼着するための貼着手段を構成する粘着部材と、を備え、
前記粘着部材は、前記垂直面に対する粘着面となる第１の面を有しており、
前記側面被覆部は、前記粘着部材を介して前記垂直面に貼着され、
前記粘着部材は、前記側面被覆部が前記垂直面に貼着されていない状態である非使用状態のとき、前記底面被覆部に取り付けられていることを特徴とする飲料容器用スリーブ。
【請求項２】
請求項１に記載の飲料容器用スリーブにおいて、
前記側面被覆部は、前記容器本体の前記側面に密着した状態で、当該側面を覆う飲料容器用スリーブ。
【請求項３】
請求項１又は２に記載の飲料容器用スリーブにおいて、
前記底面被覆部は、前記容器本体の前記底面に密着した状態で、当該底面を覆う飲料容器用スリーブ。
【請求項４】
請求項１乃至３の何れかに記載の飲料容器用スリーブにおいて、
前記粘着部材は、前記非使用状態のとき、前記第１の面を下側に向けて前記底面被覆部に取り付けられている飲料容器用スリーブ。
【請求項５】
請求項４に記載の飲料容器用スリーブにおいて、
前記粘着部材の前記第１の面には、非粘着性フィルムが剥離可能に貼付されている飲料容器用スリーブ。
【請求項６】
請求項１乃至３の何れかに記載の飲料容器用スリーブにおいて、
前記粘着部材は、前記非使用状態のとき、前記第１の面を上側に向けて前記底面被覆部に取り付けられている飲料容器用スリーブ。
【請求項７】
請求項１乃至６の何れかに記載の飲料容器用スリーブにおいて、
前記底面被覆部には、前記粘着部材を収容する凹部が設けられている飲料容器用スリーブ。
【請求項８】
請求項１乃至７の何れかに記載の飲料容器用スリーブにおいて、
前記底面被覆部は、伸縮性を有する飲料容器用スリーブ。
【請求項９】
請求項１乃至８の何れかに記載の飲料容器用スリーブにおいて、
前記粘着部材の厚みは、当該粘着部材の上端から下端に向かうにつれて次第に大きくなる飲料容器用スリーブ。
【請求項１０】
請求項１乃至９の何れかに記載の飲料容器用スリーブにおいて、
前記粘着部材における前記第１の面と反対側の面である第２の面は、凹曲面状をしている飲料容器用スリーブ。
【請求項１１】
請求項１乃至１０の何れかに記載の飲料容器用スリーブにおいて、
前記側面被覆部は、前記容器本体の前記側面の全体を覆う飲料容器用スリーブ。
【請求項１２】
請求項１乃至１１の何れかに記載の飲料容器用スリーブにおいて、
前記側面被覆部は、伸縮性を有する飲料容器用スリーブ。
【請求項１３】
請求項１乃至１２の何れかに記載の飲料容器用スリーブにおいて、
前記側面被覆部の少なくとも一部は、前記垂直面に対して粘着性を有しており、前記粘着部材と共に前記貼着手段を構成している飲料容器用スリーブ。
【請求項１４】
請求項１３に記載の飲料容器用スリーブにおいて、
前記側面被覆部は、その一部のみが前記垂直面に対して粘着性を有する飲料容器用スリーブ。
【請求項１５】
請求項１乃至１４の何れかに記載の飲料容器用スリーブにおいて、
前記飲料容器は、前記容器本体に取り付けられた蓋を有しており、
前記側面被覆部は、前記容器本体の前記側面から前記蓋にかけて覆う飲料容器用スリーブ。
【請求項１６】
請求項１５に記載の飲料容器用スリーブにおいて、
前記側面被覆部は、前記容器本体の前記側面及び前記蓋に密着した状態で、当該側面から当該蓋にかけて覆う飲料容器用スリーブ。
【請求項１７】
請求項１５又は１６に記載の飲料容器用スリーブにおいて、
前記側面被覆部は、前記蓋の縁部の上面まで覆う飲料容器用スリーブ。
【請求項１８】
請求項１７に記載の飲料容器用スリーブにおいて、
前記側面被覆部は、前記上面に密着した状態で、当該上面を覆う飲料容器用スリーブ。
【発明の詳細な説明】
【技術分野】
【０００１】
本発明は、飲料容器用スリーブに関する。
【背景技術】
【０００２】
従来の飲料容器用スリーブとしては、例えば特許文献１に記載されたものがある。同文献に記載された飲料容器用スリーブは、飲料容器に装着される筒状部材からなる。飲料容器は、紙コップ等の容器本体を有している。筒状部材の上端及び下端は、開放されている。筒状部材は、容器本体の側面形状に合わせて、上端から下端に向かって徐々に径が小さくなるように成形されている。この筒状部材は、容器本体の側面を覆うように着脱可能に装着される。
【先行技術文献】
【特許文献】
【０００３】
【特許文献１】特開２０１３−３５５９３号公報
【発明の概要】
【発明が解決しようとする課題】
【０００４】
ところで、飲みかけの飲料が入った飲料容器を手から離したいときは、通常、飲料容器を机やテーブル等の水平面上に載置する。しかしながら、飲料容器を載置するのに適した水平面が見つからない場合もある。そのような場合に、壁面等の垂直面に飲料容器を固定することができれば、便利である。この点、従来の飲料容器用スリーブは、飲料容器を垂直面に固定するのには役に立たない。
【０００５】
本発明は、上記課題に鑑みてなされたものであり、飲料容器を垂直面に固定するのに役立つ飲料容器用スリーブを提供することを目的とする。
【課題を解決するための手段】
【０００６】
本発明による飲料容器用スリーブは、容器本体を有する飲料容器に装着される飲料容器用スリーブであって、上記容器本体の側面を包囲するように覆う側面被覆部と、上記側面被覆部を垂直面に貼着するための貼着手段と、を備えることを特徴とする。
【０００７】
この飲料容器用スリーブにおいては、側面被覆部を垂直面に貼着する貼着手段が設けられている。この貼着手段を用いて側面被覆部を垂直面に貼着することにより、当該飲料容器用スリーブが装着された飲料容器を垂直面に固定することができる。
【発明の効果】
【０００８】
本発明によれば、飲料容器を垂直面に固定するのに役立つ飲料容器用スリーブが実現される。
【図面の簡単な説明】
【０００９】
【図１】本発明による飲料容器用スリーブの第１実施形態を示す斜視図である。
【図２】図１のII−II線に沿った端面図である。
【図３】粘着部材３０を示す斜視図である。
【図４】図１の飲料容器用スリーブが飲料容器９０に装着された様子を示す端面図である。
【図５】図１の飲料容器用スリーブの使用方法の一例を説明するための端面図である。
【図６】本発明による飲料容器用スリーブの第２実施形態を示す斜視図である。
【図７】図６のVII−VII線に沿った端面図である。
【図８】図６の飲料容器用スリーブの使用方法の一例を説明するための端面図である。
【図９】図６の飲料容器用スリーブの使用方法の一例を説明するための端面図である。
【図１０】本発明による飲料容器用スリーブの第３実施形態を示す端面図である。
【図１１】図１０の飲料容器用スリーブにおける側面被覆部１０の上端を示す平面図である。
【図１２】図１０の飲料容器用スリーブにおいて延出部１０ａが折り返された状態を示す端面図である。
【図１３】図１０の飲料容器用スリーブの使用方法の一例を説明するための端面図である。
【図１４】一変形例に係る粘着部材３０を示す側面図である。
【図１５】図１４の粘着部材３０の効果を説明するための端面図である。
【図１６】他の変形例に係る粘着部材３０を示す平面図である。
【図１７】図１６の粘着部材３０の効果を説明するための端面図である。
【図１８】蓋９４を有する飲料容器９０の一例を示す正面図である。
【図１９】変形例に係る飲料容器用スリーブが図１８の飲料容器９０に装着された様子を示す正面図である。
【図２０】図１９のXX−XX線に沿った切断面の構造を示す図である。
【図２１】蓋９４の変形例を説明するための正面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による飲料容器用スリーブの第１実施形態を示す斜視図である。また、図２は、図１のII−II線に沿った端面図である。飲料容器用スリーブ１は、容器本体を有する飲料容器に装着される飲料容器用スリーブ（飲料容器用装着具）であって、側面被覆部１０、底面被覆部２０、及び粘着部材３０を備えている。容器本体は、例えば、紙コップ（カップ）、プラスチックコップ（カップ）等である。
【００１２】
側面被覆部１０は、容器本体の側面を覆う部分である。側面被覆部１０は、容器本体の側面の全体を覆うことが好ましい。側面被覆部１０は、筒状をしている。側面被覆部１０の径は、上端から下端に向かうにつれて次第に小さくなっている。側面被覆部１０の上端は、開放されている。側面被覆部１０の下端は、後述する底面被覆部２０によって閉塞されている。側面被覆部１０は、伸縮性を有することが好ましい。詳細には、側面被覆部１０は、その周方向及び高さ方向の双方に伸縮性を有することが好ましい。側面被覆部１０には、色彩や模様が施されていてもよい。
【００１３】
底面被覆部２０は、容器本体の底面を覆う部分である。底面被覆部２０は、側面被覆部１０と一体に設けられている。具体的には、底面被覆部２０は、側面被覆部１０の下端に連設されている。底面被覆部２０の平面形状は、略円形である。底面被覆部２０は、伸縮性を有することが好ましい。底面被覆部２０には、後述する粘着部材３０を収容する凹部２２が設けられている。側面被覆部１０及び底面被覆部２０の材料としては、例えば、ラテックス（ゴム）、シリコン、ポリウレタン、不織布、厚紙等を用いることができる。
【００１４】
粘着部材３０は、側面被覆部１０を垂直面に貼着するための貼着手段を構成している。垂直面としては、例えば、壁面、机の天板の側面、電柱の側面等が挙げられる。側面被覆部１０は、粘着部材３０を介して垂直面に貼着される。粘着部材３０は、側面被覆部１０と別体に設けられている。粘着部材３０は、非使用状態（側面被覆部１０が垂直面に貼着されていない状態）のとき、底面被覆部２０に取り付けられている。具体的には、粘着部材３０は、非使用状態のとき、底面被覆部２０の凹部２２内に収容されている。このとき、粘着部材３０は、凹部２２内に隙間なく収容されることが好ましい。また、粘着部材３０の全体が凹部２２内に収容されることが好ましい。
【００１５】
図３は、粘着部材３０を示す斜視図である。粘着部材３０は、チップ状をしている。粘着部材３０は、垂直面に対する粘着面となる面Ｓ１（第１の面）を有している。粘着部材３０の面Ｓ１は、垂直面に対して粘着性を有する。また、粘着部材３０における面Ｓ１と反対側の面である面Ｓ２（第２の面）は、側面被覆部１０に対して粘着性を有する。粘着部材３０の材料としては、例えば、ゲル状の粘着材（粘着ゲル）、粘土状の粘着材等を用いることができる。
【００１６】
粘着部材３０は、非使用状態のとき、面Ｓ１を下側（容器本体９２の底面と反対側）に向けて底面被覆部２０に取り付けられてもよいし、面Ｓ１を上側（容器本体９２の底面側）に向けて底面被覆部２０に取り付けられてもよい。前者の場合、粘着部材３０の面Ｓ１には、非粘着性フィルムが剥離可能に貼付されていることが好ましい。後者の場合、粘着部材３０の面Ｓ２には、非粘着性フィルムが剥離可能に貼付されていることが好ましい。ここで、剥離可能とは、粘着部材３０を損傷することなく、粘着部材３０から非粘着性フィルムを容易に剥がせるということである。非粘着性フィルムとしては、例えばプラスチックフィルムを用いることができる。
【００１７】
図４は、飲料容器用スリーブ１が飲料容器９０に装着された様子を示す端面図である。飲料容器９０は、容器本体９２を有している。容器本体９２には、飲料（図示せず）が入れられる。飲料は、ホットコーヒー等の高温の飲料であってもよいし、アイスコーヒー等の低温の飲料であってもよい。側面被覆部１０は、容器本体９２の側面を包囲するように覆っている。側面被覆部１０は、容器本体９２の側面に密着した状態で、当該側面を覆っている。底面被覆部２０は、容器本体９２の底面に密着した状態で、当該底面を覆っている。
【００１８】
図５を参照しつつ、飲料容器用スリーブ１の使用方法の一例を説明する。まず、粘着部材３０を底面被覆部２０から取り外す。次に、取り外された粘着部材３０の面Ｓ２を側面被覆部１０に付着させる。続いて、粘着部材３０の面Ｓ１を垂直面９６に付着させる。なお、面Ｓ１に非粘着性フィルムが貼付されている場合は、面Ｓ１を垂直面９６に付着させる前に、非粘着性フィルムを剥がすことになる。これにより、粘着部材３０を介して側面被覆部１０が垂直面９６に貼着される。このように、粘着部材３０は、使用状態（側面被覆部１０が垂直面に貼着されている状態）のとき、側面被覆部１０と垂直面９６との間に介在する。
【００１９】
飲料容器用スリーブ１の効果を説明する。飲料容器用スリーブ１においては、側面被覆部１０を垂直面９６に貼着する貼着手段（粘着部材３０）が設けられている。この貼着手段を用いて側面被覆部１０を垂直面９６に貼着することにより、飲料容器用スリーブ１が装着された飲料容器９０を垂直面９６に固定することができる。したがって、飲料容器９０を垂直面９６に固定するのに役立つ飲料容器用スリーブ１が実現されている。
【００２０】
このように飲料容器９０を垂直面９６に固定することができれば、例えば机上が散らかっている場合や屋外に居る場合のように、飲料が入った飲料容器９０を載置するのに適した水平面が見つからない場合であっても、飲料容器９０を手から離すことができる。また、飲料容器９０を机上に載置した場合には飲料容器９０を倒して机上の書類等を飲料で汚してしまうリスクがあるが、飲料容器９０を垂直面９６に固定した場合、そのようなリスクも回避することができる。
【００２１】
さらに、容器本体９２の側面を側面被覆部１０で覆うことにより、容器本体９２内の飲料に対する保温効果を得ることができる。また、側面被覆部１０を介して容器本体９２を把持することができるため、容器本体９２内に高温（低温）の飲料が入っている場合であっても、手に感じる熱さ（冷たさ）が軽減される。
【００２２】
側面被覆部１０が容器本体９２の側面の全体を覆う場合、容器本体９２内の飲料に対する保温効果を高めることができる。
【００２３】
側面被覆部１０は、粘着部材３０を介して垂直面９６に貼着される。このように側面被覆部１０と別体に設けられた粘着部材３０を用いることにより、側面被覆部１０自体が粘着性を有しない場合であっても、側面被覆部１０を垂直面９６に貼着することができる。
【００２４】
飲料容器用スリーブ１には、側面被覆部１０に加えて底面被覆部２０も設けられている。これにより、容器本体９２の底面も覆われるため、容器本体９２内の飲料に対する保温効果を一層高めることができる。
【００２５】
粘着部材３０は、非使用状態のとき、底面被覆部２０に取り付けられている。底面被覆部２０は、側面被覆部１０と異なり、容器本体９２を把持するときに手が触れない部分である。それゆえ、粘着部材３０を底面被覆部２０に取り付けておくことにより、容器本体９２を把持するときに粘着部材３０が邪魔になりにくいという利点が得られる。
【００２６】
粘着部材３０が面Ｓ１を下側に向けて底面被覆部２０に取り付けられている場合、垂直面９６に対する粘着面となる面Ｓ１が凹部２２に触れるのを防ぐことができる。面Ｓ１が凹部２２に触れることは、面Ｓ１の粘着力が低下する原因となりうる。さらに面Ｓ１に非粘着性フィルムが貼付されている場合、面Ｓ１に埃等が付着するのを防ぐことができる。面Ｓ１に埃等が付着することも、面Ｓ１の粘着力が低下する原因となりうる。
【００２７】
粘着部材３０が面Ｓ１を上側に向けて底面被覆部２０に取り付けられている場合、面Ｓ１が露出しないため、面Ｓ１にフィルム等を貼付しなくても、面Ｓ１に埃等が付着するのを防ぐことができる。
【００２８】
底面被覆部２０には、粘着部材３０を収容する凹部２２が設けられている。これにより、底面被覆部２０から突出しないように粘着部材３０を底面被覆部２０に取り付けることが可能となる。このように粘着部材３０が底面被覆部２０から突出しないようにすることにより、机やテーブル等の水平面上に飲料容器９０を安定的に載置することができる。ただし、底面被覆部２０に凹部２２を設けることは、必須でない。
【００２９】
底面被覆部２０が伸縮性を有する場合、容器本体９２の底面の大きさが異なる様々な飲料容器９０に対して飲料容器用スリーブ１を適合させやすくなる。
【００３０】
側面被覆部１０が周方向に伸縮性を有する場合、容器本体９２の径が異なる様々な飲料容器９０に対して飲料容器用スリーブ１を適合させやすくなる。また、側面被覆部１０が高さ方向に伸縮性を有する場合、容器本体９２の高さが異なる様々な飲料容器９０に対して飲料容器用スリーブ１を適合させやすくなる。
【００３１】
側面被覆部１０に色彩や模様が施されている場合、飲料容器用スリーブ１ひいてはそれが装着された飲料容器９０の美観を高めることができる。また、独自の色彩や模様を施すことにより、自分の飲料容器９０を他人の飲料容器から識別しやすくなる。
（第２実施形態）
【００３２】
図６は、本発明による飲料容器用スリーブの第２実施形態を示す斜視図である。また、図７は、図６のVII−VII線に沿った端面図である。飲料容器用スリーブ２は、飲料容器９０に装着される飲料容器用スリーブであって、側面被覆部１０、底面被覆部２０、及び粘着部材３０を備えている。
【００３３】
本実施形態において粘着部材３０は、非使用状態のとき、側面被覆部１０に取り付けられている。このとき、粘着部材３０は、面Ｓ１を外側（容器本体９２の側面と反対側）に向けて側面被覆部１０に取り付けられてもよいし、面Ｓ１を内側（容器本体９２の側面側）に向けて側面被覆部１０に取り付けられてもよい。前者の場合、粘着部材３０の面Ｓ１には、非粘着性フィルムが剥離可能に貼付されていることが好ましい。後者の場合、粘着部材３０の面Ｓ２には、非粘着性フィルムが剥離可能に貼付されていることが好ましい。なお、本実施形態においては、底面被覆部２０に凹部２２は設けられていない。飲料容器用スリーブ２のその他の構成は、飲料容器用スリーブ１と同様である。
【００３４】
本実施形態においても、粘着部材３０を介して側面被覆部１０が垂直面９６に貼着される。かかる使用状態のとき、粘着部材３０は、図８に示すように非使用状態のときと同じ位置に取り付けられてもよいし、図９に示すように非使用状態のときとは異なる位置に取り付けられてもよい。
【００３５】
飲料容器用スリーブ２の効果を説明する。粘着部材３０は、非使用状態のとき、側面被覆部１０に取り付けられている。側面被覆部１０は、底面被覆部２０と異なり、飲料容器９０を水平面に載置するときに当該水平面に触れない部分である。それゆえ、粘着部材３０を側面被覆部１０に取り付けておくことにより、飲料容器９０を水平面に載置したときに粘着部材３０が邪魔になりにくいという利点が得られる。
【００３６】
粘着部材３０が面Ｓ１を外側に向けて側面被覆部１０に取り付けられている場合、垂直面９６に対する粘着面となる面Ｓ１が側面被覆部１０に触れるのを防ぐことができる。面Ｓ１が側面被覆部１０に触れることは、面Ｓ１の粘着力が低下する原因となりうる。また、この場合、面Ｓ１が予め垂直面９６に対向しているため、粘着部材３０をひっくり返さなくても、側面被覆部１０を垂直面９６に貼着することができる。それゆえ、この場合、粘着部材３０は、側面被覆部１０に対して分離不能に取り付けられていてもよい。ここで、分離不能とは、側面被覆部１０又は粘着部材３０を損傷しない限り、粘着部材３０を側面被覆部１０から分離できないということである。このように粘着部材３０を側面被覆部１０に分離不能に取り付けることにより、使用状態のときに粘着部材３０が側面被覆部１０から不意に離れてしまう事態を回避することができる。さらに面Ｓ１に非粘着性フィルムが貼付されている場合、面Ｓ１に埃等が付着するのを防ぐことができる。
【００３７】
粘着部材３０が面Ｓ１を内側に向けて側面被覆部１０に取り付けられている場合、面Ｓ１が露出しないため、面Ｓ１にフィルム等を貼付しなくても、面Ｓ１に埃等が付着するのを防ぐことができる。飲料容器用スリーブ２のその他の効果は、飲料容器用スリーブ１と同様である。
（第３実施形態）
【００３８】
図１０は、本発明による飲料容器用スリーブの第３実施形態を示す端面図である。飲料容器用スリーブ３は、飲料容器９０に装着される飲料容器用スリーブであって、側面被覆部１０、底面被覆部２０、及び粘着部材３０を備えている。
【００３９】
本実施形態において側面被覆部１０の上端の一部は、当該上端の残部よりも上方に延出してなる延出部１０ａを構成している。図１１に示すように、側面被覆部１０の上端の残部を含む平面において、延出部１０ａの両端部と側面被覆部１０の中心とを結ぶ２本の線分がなす角度αは、３０°≦α≦６０°であることが好ましい。
【００４０】
本実施形態においては、複数（具体的には２つ）の粘着部材３０が設けられている。複数の粘着部材３０の１つである粘着部材３０ａ（第１の粘着部材）は、側面被覆部１０の延出部１０ａに取り付けられている。複数の粘着部材３０のもう１つである粘着部材３０ｂ（第２の粘着部材）は、側面被覆部１０における延出部１０ａ以外の部分に取り付けられている。各粘着部材３０ａ，３０ｂは、面Ｓ１を外側に向けて側面被覆部１０に取り付けられている。各粘着部材３０ａ，３０ｂは、側面被覆部１０に対して分離不能に取り付けられていることが好ましい。粘着部材３０ａと粘着部材３０ｂとの間には、隙間が設けられている。
【００４１】
側面被覆部１０の延出部１０ａは、図１２に示すように、外側に折り返すことが可能である。側面被覆部１０における粘着部材３０ｂが取り付けられている部分は、延出部１０ａを折り返したときに粘着部材３０ａと重なる部分に一致する。すなわち、粘着部材３０ｂは、側面被覆部１０における、延出部１０ａを折り返したときに粘着部材３０ａと重なる部分に取り付けられている。それゆえ、延出部１０ａを折り返すと、粘着部材３０ａと粘着部材３０ｂとは、面Ｓ１どうしが対向するように重なり合う。このとき、粘着部材３０ａと粘着部材３０ｂとの間に非粘着性フィルムを介在させてもよい。使用状態のとき、側面被覆部１０は、図１３に示すように、粘着部材３０ａ及び粘着部材３０ｂを介して垂直面９６に貼着される。飲料容器用スリーブ３のその他の構成は、飲料容器用スリーブ２と同様である。
【００４２】
飲料容器用スリーブ３の効果を説明する。粘着部材３０ａは、側面被覆部１０の延出部１０ａに取り付けられている。このため、非使用状態のとき、延出部１０ａを折り返すことにより、粘着部材３０ａの面Ｓ１が露出しないようにすることができる（図１２参照）。
【００４３】
側面被覆部１０の上端の周方向について、延出部１０ａの長さが大きすぎると、延出部１０ａを折り返しにくくなる。他方、延出部１０ａの長さが小さすぎると、粘着部材３０ａを取り付ける領域を充分に確保できなくなってしまう。かかる観点から、上記角度αは、３０°≦α≦６０°であることが好ましい。
【００４４】
複数の粘着部材３０（粘着部材３０ａ，３０ｂ）が設けられている。この場合、粘着部材３０が１つしか設けられていない場合に比して、垂直面９６に対する接触面の面積（粘着部材３０ａの面Ｓ１の面積と粘着部材３０ｂの面Ｓ１の面積との和）が大きくなるため、垂直面９６に対する飲料容器９０の固定を強固にすることができる。ただし、粘着部材３０ｂを設けることは、必須でない。
【００４５】
延出部１０ａが折り返されていないとき、粘着部材３０ａと粘着部材３０ｂとの間には、隙間が設けられている。このことは、延出部１０ａの折返しをスムーズに行うのに有利である。また、非使用状態のとき、水平に張られたワイヤや紐に上記隙間を引っ掛けることにより、飲料容器用スリーブ３を当該ワイヤ等に吊り下げて保管することができる。飲料容器用スリーブ３のその他の効果は、飲料容器用スリーブ２と同様である。
【００４６】
本発明は、上記実施形態に限定されるものではなく、様々な変形が可能である。上記実施形態においては、粘着部材３０の厚みが均一である場合を例示した。しかし、粘着部材３０の厚みは、図１４に示すように、粘着部材３０の上端から下端に向かうにつれて次第に大きくなっていてもよい。同図は、粘着部材３０を側面から見た図である。粘着部材３０の側面形状は、台形である。テーパ状の容器本体９２をその底面が水平になるように配置した場合、図１５に示すように、容器本体９２の側面（側面被覆部１０）と垂直面９６との隙間は、容器本体９２の底面に近づくにつれて大きくなる。この点、図１４の粘着部材３０は、かかる隙間にフィットさせやすいので、垂直面９６に固定された飲料容器９０の傾きを小さく抑えることができる。
【００４７】
上記実施形態においては、粘着部材３０の面Ｓ２が平面状をしている場合を例示した。しかし、面Ｓ２は、図１６に示すように、凹曲面状をしていてもよい。同図は、粘着部材３０を上面から見た図である。このように面Ｓ２を凹曲面状にすることにより、図１７に示すように、凸曲面状の容器本体９２の側面に面Ｓ２をフィットさせやすくなる。同図は、水平面に平行な端面を示している。
【００４８】
上記実施形態においては、飲料容器９０が容器本体９２のみからなる場合を例示した。しかし、飲料容器９０は、図１８に示すように、容器本体９２に加えて、蓋９４を有していてもよい。蓋９４は、容器本体９２に取り付けられている。蓋９４は、その縁部９４ａが容器本体９２の縁部に嵌合することにより、容器本体９２に対して着脱可能に固定される。蓋９４の中央部９４ｂは、盛り上がっている。中央部９４ｂには、飲み口として機能する穴が形成されている。蓋９４の材料は、例えばプラスチックである。
【００４９】
この場合、側面被覆部１０は、図１９及び図２０に示すように、容器本体９２の側面から蓋９４にかけて覆うことが好ましい。図２０は、図１９のXX−XX線に沿った切断面の構造を示す図である。図２０においては、切断面を実線で示すとともに、飲料容器９０の構造を簡略化している。また、粘着部材３０の図示は、省略されている。側面被覆部１０は、容器本体９２の側面及び蓋９４に密着した状態で、当該側面から蓋９４にかけて覆っている。側面被覆部１０は、蓋９４の縁部９４ａの上面まで覆っている。詳細には、側面被覆部１０は、縁部９４ａの上面に密着した状態で、当該上面を覆っている。
【００５０】
このように側面被覆部１０が容器本体９２の側面から蓋９４にかけて覆う場合、側面被覆部１０によって蓋９４が押さえ付けられるため、容器本体９２から蓋９４が不意に外れる事態が起こりにくくなる。また、側面被覆部１０が蓋９４の縁部９４ａの上面まで覆う場合、側面被覆部１０によって蓋９４を上から押さえ付けることができる。これにより、容器本体９２から蓋９４が不意に外れる事態が一層起こりにくくなる。なお、蓋９４は、図２１に示すように、中央部９４ｂが盛り上がっていないタイプのものであってもよい。その場合、中央部９４ｂには、ストローを挿すための十字形の切込みが入っていてもよい。
【００５１】
上記実施形態においては、側面被覆部１０が粘着性を有しない場合を例示した。しかし、側面被覆部１０の少なくとも一部は、垂直面９６に対して粘着性を有していてもよい。側面被覆部１０における粘着性を有する部分は、粘着部材３０と共に貼着手段を構成する。この場合、側面被覆部１０における粘着性を有する部分に粘着部材３０の面Ｓ２を付着させることにより、側面被覆部１０と粘着部材３０との間の粘着力を増強させ、ひいては垂直面９６に対する飲料容器９０の固定を強固にすることができる。特に側面被覆部１０の一部のみが粘着性を有する場合、側面被覆部１０の残部（粘着性を有しない部分）を手で持つことにより、飲料容器９０を把持する際に手がべたつくのを防ぐことができる。
【００５２】
なお、側面被覆部１０が粘着性を有する場合、粘着部材３０は設けなくてもよい。すなわち、側面被覆部１０における粘着性を有する部分が単独で貼着手段を構成してもよい。その場合、側面被覆部１０は、自身の粘着力により直接に垂直面９６に貼着される。
【００５３】
上記実施形態においては、側面被覆部１０に加えて底面被覆部２０が設けられた場合を例示した。しかし、底面被覆部２０を設けることは必須でない。すなわち、飲料容器用スリーブは、側面被覆部１０及び粘着部材３０のみ、あるいは側面被覆部１０のみからなっていてもよい。
【符号の説明】
【００５４】
１  飲料容器用スリーブ
２  飲料容器用スリーブ
３  飲料容器用スリーブ
１０  側面被覆部
１０ａ  延出部
２０  底面被覆部
２２  凹部
３０  粘着部材（貼着手段）
３０ａ  粘着部材（第１の粘着部材）
３０ｂ  粘着部材（第２の粘着部材）
９０  飲料容器
９２  容器本体
９４  蓋
９４ａ  縁部
９４ｂ  中央部
９６  垂直面
【図１】
0006391751.tif 000002
【図２】
0006391751.tif 000003
【図３】
0006391751.tif 000004
【図４】
0006391751.tif 000005
【図５】
0006391751.tif 000006
【図６】
0006391751.tif 000007
【図７】
0006391751.tif 000008
【図８】
0006391751.tif 000009
【図９】
0006391751.tif 000010
【図１０】
0006391751.tif 000011
【図１１】
0006391751.tif 000012
【図１２】
0006391751.tif 000013
【図１３】
0006391751.tif 000014
【図１４】
0006391751.tif 000015
【図１５】
0006391751.tif 000016
【図１６】
0006391751.tif 000017
【図１７】
0006391751.tif 000018
【図１８】
0006391751.tif 000019
【図１９】
0006391751.tif 000020
【図２０】
0006391751.tif 000021
【図２１】
0006391751.tif 000022